(57)【特許請求の範囲】
【請求項１】
収容容器上部に取り外し可能に設けられると共に、上面に開口部を有するフレーム部材と、
該フレーム部材の開口部を、開口又は閉口するように設けられる蓋部材と、
該蓋部材の開閉動作に連動して回動し、蓋部材の開成動作の際、前記フレーム部材の開口部を閉口するように動作する受け皿と、
を備えたごみ箱であって、
前記蓋部材と受け皿とは、一端部同士が接続されて一体に形成されていると共に、該一端部が前記フレーム部材に軸支され、該一端部を中心として開閉可能に設けられており、
前記受け皿には表面から裏面に貫通する複数のスリットが形成されていると共に、前記蓋部材の閉成動作の少なくとも終了時点において、前記受け皿が近接すると、各スリットに侵入して受け皿の裏面側から表面側に突出するように、前記フレーム部材内で各スリットに対応する位置に複数設けられた板部材を有することを特徴とするごみ箱。
【請求項２】
請求項１記載のごみ箱であって、前記蓋部材及び受け皿の幅方向両端部であって、蓋部材と受け皿との間に側壁が設けられていることを特徴とするごみ箱。
【請求項３】
請求項１又は２記載のごみ箱であって、前記受け皿表面に凸部が形成されていることを特徴とするごみ箱。
【請求項４】
請求項１〜３のいずれか１に記載のごみ箱であって、前記蓋部材を自動開閉させる開閉装置が設けられていることを特徴とするごみ箱。
【請求項５】
請求項４記載のごみ箱であって、前記開閉装置が前記フレーム部材の背面に取り外し可能に設けられていることを特徴とするごみ箱。
【請求項６】
請求項４又は５記載のごみ箱であって、前記開閉装置の駆動部が、電動モータであることを特徴とするごみ箱。
【請求項７】
請求項４〜６のいずれか１項記載のごみ箱であって、前記開閉装置の起動スイッチが、センサスイッチであることを特徴とするごみ箱。
【請求項８】
請求項４〜７のいずれか１項記載のごみ箱であって、前記開閉装置の起動スイッチが、ごみ箱とは別体に設けられるフットスイッチであることを特徴とするごみ箱。
【請求項９】
請求項１〜８のいずれか１項記載のごみ箱であって、前記収容容器、フレーム部材、蓋部材、受け皿及び板部材が、抗菌性樹脂から形成されていることを特徴とするごみ箱。
【発明の詳細な説明】
【０００１】
【発明の属する技術分野】
本発明は、ごみ箱に関する。
【０００２】
【従来の技術】
従来、収容容器上部に取り外し可能に設けられると共に、上面に開口部を有するフレーム部材と、該フレーム部材の開口部を、開口又は閉口するように設けられる蓋部材と、該蓋部材の開閉動作に連動して回動し、蓋部材の開成動作の際、前記フレーム部材の開口部を閉口するように動作する受け皿とを備えたごみ箱があった。
【０００３】
このごみ箱は、前記受け皿を有して構成されることにより、蓋部材を開けた場合でも受け皿がごみの受入口であるフレーム部材の開口部を一時的に閉口するため、外部からは収容容器の内部が見えない。そのため、利用者は、捨てたごみを後の利用者に見られることがないので安心してごみを捨てられる。また、後の利用者は、先の利用者が捨てたごみを見ることによる不快な思いをすることがない。
【０００４】
【発明が解決しようとする課題】
しかしながら、上記したごみ箱では、使用済み生理用ナプキン等のように使用に当たり人体に装着するために両面テープが付されているものや、糊、接着剤又は粘着剤がごみの表面に露出しているごみ（以下、接着性を有するごみという。）を捨てた場合、本来、収容容器内に収容されるはずのごみが受け皿表面に貼り付いてしまい、次の利用者が蓋部材を開けた場合には、そのごみが受け皿表面に貼り付いたままの状態で露見して、不快感を与えるという問題があった。また、そのごみが使用済み生理用品の場合には、血液等が付着していることもあって衛生上の問題もあった。
【０００５】
かかる問題点に鑑み、従来、受け皿表面を凹凸状に形成することにより、受け皿とごみとの接触する部分を少なくする工夫がなされたごみ箱もあった。しかし、このごみ箱であっても受け皿表面に接着性を有するごみが貼り付く場合があり、そのごみを収容容器内に確実に収容することは困難であった。
【０００６】
本発明の課題は、一般のごみはもちろんのこと、接着性を有するごみであっても、確実に収容容器内に収容することができるごみ箱を提供することにある。
【０００７】
【課題を解決するための手段】
上記課題を解決するため、請求項１記載の本発明のごみ箱は、収容容器上部に取り外し可能に設けられると共に、上面に開口部を有するフレーム部材と、該フレーム部材の開口部を、開口又は閉口するように設けられる蓋部材と、該蓋部材の開閉動作に連動して回動し、蓋部材の開成動作の際、前記フレーム部材の開口部を閉口するように動作する受け皿と、を備えたごみ箱であって、前記蓋部材と受け皿とは、一端部同士が接続されて一体に形成されていると共に、該一端部が前記フレーム部材に軸支され、該一端部を中心として開閉可能に設けられており、前記受け皿には表面から裏面に貫通する複数のスリットが形成されていると共に、前記蓋部材の閉成動作の少なくとも終了時点において、前記受け皿が近接すると、各スリットに侵入して受け皿の裏面側から表面側に突出するように、前記フレーム部材内で各スリットに対応する位置に複数設けられた板部材を有することを特徴とする。
【０００８】
請求項２記載の本発明のごみ箱は、請求項１記載のごみ箱であって、前記蓋部材及び受け皿の幅方向両端部であって、蓋部材と受け皿との間に側壁が設けられていることを特徴とする。請求項３記載の本発明のごみ箱は、請求項１又は２記載のごみ箱であって、前記受け皿表面に凸部が形成されていることを特徴とする。
【０００９】
請求項４記載の本発明のごみ箱は、請求項１〜３のいずれか１に記載のごみ箱であって、前記蓋部材を自動開閉させる開閉装置が設けられていることを特徴とする。請求項５記載の本発明のごみ箱は、請求項４記載のごみ箱であって、前記開閉装置が前記フレーム部材の背面に取り外し可能に設けられていることを特徴とする。
【００１０】
請求項６記載の本発明のごみ箱は、請求項４又は５記載のごみ箱であって、前記開閉装置の駆動部が、電動モータであることを特徴とする。請求項７記載の本発明のごみ箱は、請求項４〜６のいずれか１項記載のごみ箱であって、前記開閉装置の起動スイッチが、センサスイッチであることを特徴とする。
【００１１】
請求項８記載の本発明のごみ箱は、請求項４〜７のいずれか１項記載のごみ箱であって、前記開閉装置の起動スイッチが、ごみ箱とは別体に設けられるフットスイッチであることを特徴とする。請求項９記載の本発明のごみ箱は、請求項１〜８のいずれか１項記載のごみ箱であって、前記収容容器、フレーム部材、蓋部材、受け皿及び板部材が、抗菌性樹脂から形成されていることを特徴とする。
【００１２】
【作用】
本発明のごみ箱は、蓋部材を開けると、受け皿が蓋部材の開成動作に連動して回動し、ごみの受入口であるフレーム部材の開口部を下方から閉口するように現れる。そして、利用者がその受け皿にごみを載せ、蓋部材を閉めると、受け皿が蓋部材の閉成動作に連動して下方に回動し、フレーム部材内の背面に沿って収納されると共に、受け皿に形成されたスリットに板部材が侵入して受け皿表面に突出する。それにより、接着性を有するごみが受け皿に貼り付いた場合でも、そのごみは、スリットから突出してくる板部材によって、ごみ箱内方に押しやられるように受け皿から剥がし取られて収容容器内に収容される。
【００１３】
【発明の実施の形態】
以下、図面に示した実施の形態に基づき本発明をさらに詳細に説明する。
図１は、本実施の形態に係るごみ箱１を示す正面図であり、図２は、図１のＡ−Ａ線矢視断面図である。図において、符号２は収容容器、３はフレーム部材、４は蓋部材、５は受け皿、６は板部材、７はブラケットである。
【００１４】
図１に示すように、収容容器２上部には、フレーム部材３が取り外し可能に設けられている。具体的には、収容容器２は、図３に示すように、上面２ａが開口して形成されている。また、収容容器２上部の正面側には、断面略凹状の被係合部２１が形成され、背面側には、断面略逆Ｌ字状の被係合部２２が形成されている。一方、フレーム部材３は、図６に示すように、下面３ａが開口して形成されていると共に、フレーム部材３下部の正面側内面には、断面略凸状の係合部３１が形成され、背面側には、貫通孔である係合部３２が形成されている。そして、フレーム部材３の各係合部３１，３２を、収容容器２の各被係合部２１，２２に係合させることにより、フレーム部材３が収容容器２上部に取り外し可能に取り付けられている。
【００１５】
また、フレーム部材３の上面には、図４に示すように、ごみの投入口となる平面略四角形の開口部３３が形成されていて、この開口部３３を開口又は閉口するように蓋部材４が設けられる。具体的には、図７及び図８に示すように、蓋部材４の一端部４１側には、軸受部４１ａが形成されていて、蓋部材４は、この軸受部４１ａに、フレーム部材３の左右の側面内側に設けられた支軸３４（図４及び図６参照）が挿入されることにより、フレーム部材３に設けられている。それにより、蓋部材４は、図２に示すように、ごみ箱１の未使用時（常態）においては、蓋部材４の他端部４２がフレーム部材３の開口部３３の上端部に近接して該開口部３３を閉口させる。一方、図１０に示すように、ごみ箱１の使用時（ごみ箱１にごみを捨てる場合）においては、蓋部材４の他端部４２が、フレーム部材３の支軸３４を支点として上方向に回転することにより、フレーム部材３の開口部３３から離間して該開口部３３を開口させる。
【００１６】
受け皿５は、図８に示すように、一端部５１が蓋部材４の一端部４１に接続されると共に、蓋部材４との間に設けられた側壁５３によって、蓋部材４と一体形成されている。それにより、受け皿５は、蓋部材４の開閉動作に連動して回動し、図１０に示すように、蓋部材４の開成時には、受け皿５の他端部５２が、フレーム部材３の支軸３４を支点として上方向に回転して、フレーム部材３の開口部３３を下方から閉口させる。その結果、蓋部材４が開いた状態であっても、受け皿５が目隠しとなって、外部からは収容容器２の内部を見ることができない。また、受け皿５と蓋部材４との間に設けられた側壁５３により、受け皿５が、ごみを捨てる際に加わる縦方向の負荷に対して耐え得るように補強されると共に、受け皿５に載せられたごみが左右方向へ脱落するのを防止することができる（図７参照）。
【００１７】
また、受け皿５には、図７及び図９に示すように、受け皿５の表面５４から裏面５５へと貫通する複数のスリット５６が形成され、また、フレーム部材３内には、図６に示すように、板状体の板部材６が設けられている。この板部材６は、図５に示すように、受け皿５に形成された各スリット５６に対応して横並びに配設されており、図２に示すように、蓋部材４の閉成動作の少なくとも終了時点（未使用時）には、受け皿５の各スリット５６に挿入されて受け皿５の表面５４に突出する。それにより、受け皿５の表面５４に、接着性を有するごみが貼り付いた場合でも、蓋部材４が閉成することによって、板部材６が受け皿５の各スリット５６に侵入して受け皿５の表面５４に突出するため、そのごみは該板部材６によってごみ箱１の内方に押しやられるようにして受け皿５の表面５４から剥がし取られる。その結果、そのごみは確実に収容容器２内に落下して収容される。
【００１８】
なお、受け皿５に形成されるスリット５６は、本実施の形態のように、複数形成されることが好ましい。また、図７及び図９に示すように、受け皿５の表面５４には、各スリット５６間に凸部５７が形成されることが好ましい。このように、受け皿５の表面５４に凸部５７が形成されることにより、受け皿５の表面５４と、該表面５４に載せられるごみとの接触する部分を少なくすることができる。その結果、受け皿５に接着性を有するごみが載せられた場合でも、そのごみが受け皿５の表面５４に貼り付きにくくなる。また、そのごみが受け皿５の表面５４に貼り付いてしまった場合でも、そのごみは容易に剥がれ易くなる。
【００１９】
なお、上記した収容容器２、フレーム部材３、蓋部材４、受け皿５及び板部材６は、いずれも蓋部材４の開閉時に発生する音を小さくするため、ステンレス等の金属から形成するより、ポリプロピレン等の合成樹脂から形成することが好ましく、さらには抗菌性を付与した樹脂から形成することが好ましい。
【００２０】
従来、使用済み生理用品を収容するごみ箱等は、収容容器内等に血液等が付着して悪臭や雑菌が発生しやすいため、収容容器等を定期的に回収して、回収した収容容器等を洗浄した後に、次亜塩素酸溶液等による殺菌処理が行われていたが、本実施の形態のように、収容容器２、フレーム部材３、蓋部材４等を形成するポリプロピレン等の樹脂に抗菌処理を施したものを用いることによって、悪臭や雑菌が発生しても、収容容器２等を洗浄さえすれば、上記の殺菌処理工程を省略することができる。
【００２１】
ブラケット７は、ごみ箱１を所定の場所に設置するために設けられたものであり、図２に示すように、その上部に略Ｌ字状の被係合部７１が突設されていると共に、その中央部に断面略逆三角形の被係合部７２が突設されて構成されている。ブラケット７は、これらの被係合部７１，７２が、それぞれフレーム部材３に貫通形成された係合部３５（図４参照）、及び収容容器２に貫通形成された係合部２３（図３参照）に取り外し可能に係合されて、フレーム部材３及び収容容器２の背面に配設されている。
【００２２】
また、ブラケット７は、図１に示すように、平面視で略三角形に形成されているが、これは、ごみ箱１が設置される場所のコーナー部の形状に合わせたものである。すなわち、ブラケット７をかかる形状とし、かつブラケット７をフレーム部材３及び収容容器２と設置場所のコーナー部壁面との間に介在させることによって、ごみ箱１を設置場所のコーナー部に収まり良く設置することができる。
【００２３】
なお、ブラケット７を設置場所のコーナー部壁面に固定する場合には、ブラケット７に配設される収容容器２の底面と設置場所の床面との間に所定の空間が形成されるように調整することが好ましい。かかる空間を形成することによって、設置場所の床面を清掃する際に、ごみ箱１を移動させることなく清掃できるので、清掃作業者の負担を軽減させることができる。
【００２４】
また、上記のように、収容容器２、フレーム部材３及びブラケット７は、それぞれ取り外し可能に配設されていることから、収容容器２内に収容されたごみを処分する際には、収容容器２のみをフレーム部材３及びブラケット７から取り外してごみを処分することができる。また、収容容器２、フレーム部材３をブラケット７から取り外して、収容容器２、フレーム部材３、及びフレーム部材３に配設された蓋部材４、受け皿５、板部材６を洗浄することもできる。
【００２５】
また、ごみ箱１には、蓋部材４を自動開閉させる開閉装置が設けられていることが好ましい。なお、この開閉装置は、少なくとも利用者が蓋部材４に触れることなく蓋部材４を開閉し得る構成を備えたものであれば、特に限定されるものではなく、機械式のものでも電気式のものでも良い。
【００２６】
また、この開閉装置は、フレーム部材３の背面に取り外し可能に設けられることが好ましい。すなわち、開閉装置は、フレーム部材３内に配設したり、フレーム部材３の背面に固定することも可能であるが、開閉装置が電気式のものである場合には、フレーム部材３、及びフレーム部材３に配設された蓋部材４、受け皿５及び板部材６を洗浄水等で洗浄することができなくなるという不都合が生じる。そこで、本実施の形態では、開閉装置がフレーム部材３等の洗浄に際して障害とならないように、開閉装置をブラケット７内に配設している。従って、フレーム部材３をブラケット７から取り外して、フレーム部材３、及びフレーム部材３に配設された蓋部材４、受け皿５、板部材６を洗浄水等で洗浄することができる。
【００２７】
本実施の形態に係る開閉装置は、以下のように構成されている。すなわち、図２に示すように、受け皿５の裏面５５側から受け皿５を支持するリンク部材８１と、リンク部材８１の先端部８１ａを回動させる駆動部としての電動モータ８２と、電動モータ８２の作動又は非作動を制御する回路部８３とを備えて構成される。なお、図２において、符号８５は開閉装置の電源部であり、本実施の形態に係るごみ箱１は、設置場所にコンセント等の電源部が無くても開閉装置を作動させることができるように、開閉装置の電源として電池を用いている。
【００２８】
上記のように構成される開閉装置は、以下のように作用する。すなわち、起動スイッチ（図示せず）をＯＮにすると、回路部８３を介して電動モータ８２が作動し、図１１に示すように、電動モータ８２の回転軸８２ａに接続されたカム部材８４が矢印Ｘ方向又は矢印Ｙ方向に回転するようになっている。蓋部材４を開成させる場合には、カム部材８４が矢印Ｘ方向に回転することによって、カム部材８４の頂点８４ａがリンク部材８１の後端部８１ｂを押し上げる。それにより、図１０に示すように、蓋部材４の閉成時には破線で示した位置にあるリンク部材８１の先端部８１ａが、フレーム部材３の軸受部３６（図６参照）に回動自由に接続されたリンク部材８１の支軸８１ｃを支点として、下方向に回転する一方、リンク部材８１に支持されている受け皿５が、下方向に回転するリンク部材８１の先端部８１ａによって、裏面５５側から押されるようにして上方向に回転する。その結果、受け皿５と連動して回動する蓋部材４が開成される。
【００２９】
一方、蓋部材４を閉成させる場合には、電動モータ８２が作動して、カム部材８４が矢印Ｙ方向に回転することによって、リンク部材８１の後端部８１ｂが下降し、リンク部材８１の先端部８１ａが、支軸８１ｃを支点として上方向に回転して、リンク部材８１が初期の位置に戻る。それにより、図２に示すように、リンク部材８１に支持された受け皿５が下方向に回転し、その結果、受け皿５と連動して回動する蓋部材４が閉成される。
【００３０】
なお、上記の駆動部としての電動モータ８２は、静音モータであることが好ましい。この静音モータとしては、空調機のスイングルーバー等の駆動部に用いられているモータと同様のものを用いることができる。このように、開閉装置の駆動部としてモータの回転音が小さい静音モータを用いることにより、蓋部材４の開閉時に発生する音をより小さくすることができる。なお、収容容器２、フレーム部材３、蓋部材４等を抗菌性樹脂から形成し、かつ開閉装置の駆動部として静音モータを用いることにより、蓋部材４の開閉時に発生する音を無音に近い状態とすることができる。
【００３１】
また、開閉装置の起動スイッチは、いずれも図示しないセンサスイッチ又はフットスイッチであることが好ましい。起動スイッチとしてセンサスイッチ又はフットスイッチを用いることにより、利用者は、蓋部材４に手指を触れることなく蓋部材４を開閉させることができる。
【００３２】
センサスイッチとしては、赤外線センサ等を用いることができる。センサスイッチの配設位置は特に限定されるものではないが、例えば、このセンサスイッチをブラケット７の上面に配設した場合、蓋部材４の上方にごみを捨てる利用者の手等が出現すると、センサスイッチはそれを感知してスイッチをＯＮとし開閉装置を起動させる。
【００３３】
フットスイッチとしては、押しボタン式のもの等を用いることができる。フットスイッチは、利用者の足下に配設され、利用者に足で踏まれることよりスイッチをＯＮとし開閉装置を起動させる。なお、フットスイッチは、ごみ箱１とは別体に設けられることが好ましい。すなわち、従来のごみ箱は、蓋部材を開閉させるためのペダルの位置をごみ箱が設置される場所によって変更せざるを得ない等の構造上の制約があったが、フットスイッチをごみ箱１と別体に設けることによって、ごみ箱１は、そのような制約を一切受けることがない。
【００３４】
【発明の効果】
本発明のごみ箱は、収容容器上部に取り外し可能に設けられると共に、上面に開口部を有するフレーム部材と、該フレーム部材の開口部を、開口又は閉口するように設けられる蓋部材と、該蓋部材の開閉動作に連動して回動し、蓋部材の開成動作の際、前記フレーム部材の開口部を閉口するように動作する受け皿と、を備えたごみ箱であって、前記受け皿がスリットを有すると共に、前記フレーム部材内に、前記蓋部材の閉成動作の少なくとも終了時点において、該スリットに侵入して受け皿表面に突出する板部材が設けられている。従って、受け皿に接着性を有するごみが貼り付いた場合でも、蓋部材の閉成動作の際、受け皿に形成されたスリットに板部材が挿入されて受け皿表面に突出するため、そのごみを受け皿から剥ぎ取って確実に収容容器内に収容することができる。その結果、先の利用者が捨てたごみが受け皿に貼り付いたままの状態で露見することがないので、利用者は、常に最初にごみを捨てるという思いでごみを捨てることができる。
【図面の簡単な説明】
【図１】図１は、本発明の実施の形態に係るごみ箱の正面図である。
【図２】図２は、図１のＡ−Ａ線矢視断面図である。
【図３】図３は、収容容器の断面図である。
【図４】図４は、フレーム部材の平面図である。
【図５】図５は、図４のＢ−Ｂ線矢視断面図である。
【図６】図６は、図４のＣ−Ｃ線矢視断面図である。
【図７】図７は、蓋部材及び受け皿の正面図である。
【図８】図８は、図７のＤ−Ｄ線矢視断面図である。
【図９】図９は、図７のＥ−Ｅ線矢視断面図である。
【図１０】図１０は、蓋部材の開成時の状態を示す断面図である。
【図１１】図１１は、リンク部材及び駆動モータを示す背面図である。
【符号の説明】
１  ごみ箱
２  収容容器
３  フレーム部材
４  蓋部材
５  受け皿
５６  スリット
５７  凸部
６  板部材
７  ブラケット
８１  リンク部材
８２  電動モータ
８３  回路部
８４  カム部材
８５  電源部
【図１】
0004005694.tif 000002
【図２】
0004005694.tif 000003
【図３】
0004005694.tif 000004
【図４】
0004005694.tif 000005
【図５】
0004005694.tif 000006
【図６】
0004005694.tif 000007
【図７】
0004005694.tif 000008
【図８】
0004005694.tif 000009
【図９】
0004005694.tif 000010
【図１０】
0004005694.tif 000011
【図１１】
0004005694.tif 000012